(57)【要約】【課題】釣り人が魚の微妙な動きを直感的に意識するように構成されるとともに、巻上げ速度を向上し、分解・清掃の作業を簡素化し、更には、価格を低廉化し得る簡素な構造の手動式リールを備えた釣り具を提供する。【解決手段】釣り具１は、リール３を回転可能且つ着脱可能に支持する釣り具本体２と、リールの空転を防止する空転防止器５と、リールの回転を制動する制動装置４とから概ね構成される。リールは、釣り具本体の側面に取付けられた支軸２６に回転可能且つ着脱可能に支承される。空転防止器は、枢動可能な釣り糸当接部材５３と当接部材付勢手段５５とを備え、制動装置は、枢動可能な制動部材４３、制動部材付勢手段４５及び揺動レバー４２を備える。【選択図】　図６
2004024188.tif 000002
【特許請求の範囲】
【請求項１】
手指で回転操作可能な手動式リールを備えた釣り具において、
前記リールを回転可能に支持し且つ釣り竿の基端部を支持する釣り具本体と、前記リールの空転を防止する空転防止器と、前記リールの回転を制動する制動装置とを有し、
前記リールは、左右一対の側壁部と、釣り糸を巻回可能な周溝を前記側壁部の間に形成する枠部と、前記側壁部の外周部分に取付けられた把手とを備え、前記側壁部及び枠部は、前記釣り具本体の側面に取付けられた支軸に回転可能且つ着脱可能に支承され、
前記空転防止器は、前記周溝に延入可能に前記釣り具本体に支持された枢動可能な釣り糸当接部材と、前記リール上の釣り糸に当接するように前記当接部材を付勢する当接部材付勢手段とを備え、
前記制動装置は、前記周溝に延入可能に前記釣り具本体に支持された枢動可能な制動部材と、前記リール上の釣り糸から離間するように前記制動部材を付勢する制動部材付勢手段と、手指の力で前記制動部材を前記リール上の釣り糸に強制的に押圧せしめる揺動レバーとを備えることを特徴とする釣り具。
【請求項２】
前記釣り具本体は、前記リールを収容可能な凹部を側面に備えた中央部と、釣り竿の基端部を取付け可能なロッド取付部を備えた前部と、手指で握持可能な後部とを有することを特徴とする請求項１に記載の釣り具。
【請求項３】
前記把手は、前記リールの中心に対して直径方向に対向する位置に対称に配置され、前記空転防止器は、前記リールの後側に配置され、前記制動装置は、前記リールの前側に配置され、前記揺動レバーは、前記釣り具本体の前部の下側に配置され、該前部及び揺動レバーを片手で一緒に把持することより前記制動部材を前記リール上の釣り糸に押圧せしめるように構成されることを特徴とする請求項２に記載の釣り具。
【請求項４】
前記リールは、前記側壁部及び枠部を回転可能に支持するベアリングを備えた中心軸を有し、該中心軸は、前記釣り具本体の中央部に着脱可能に支持されることを特徴とする請求項２又は３に記載の釣り具。
【請求項５】
前記制動装置は、前記釣り具本体に枢動可能に支持された枢動部材を有し、前記制動部材は、該枢動部材の上部に一体的に取付けられ、前記揺動レバーは、該枢動部材の下部に一体的に取付けられることを特徴とする請求項１乃至４のいずれか１項に記載の釣り具。
【請求項６】
前記空転防止器は、前記釣り具本体に枢動可能に支持された枢動部材を有し、前記釣り糸当接部材は、該枢動部材に一体的に取付けられることを特徴とする請求項１乃至５のいずれか１項に記載の釣り具。
【発明の詳細な説明】
【０００１】
【産業上の利用分野】
本発明は、釣り具に関するものであり、より詳細には、手指で回転操作可能な手動式リールを備えた手釣り感覚の釣り具に関するものである。
【０００２】
【従来技術】
魚釣り用の釣り具として、手動式又は電動式リールを備えた釣り具が広く実用に供されている。釣り具のリール部には、釣り竿が取付られ、リールに巻回した釣り糸は、釣り竿に沿って延び、釣り竿の先端部から垂下する。
【０００３】
一般に、手動式リールは、釣り糸を巻回可能なスプールを備え、スプールは、ベアリングによってケーシングに回転可能に支持されるとともに、ギア機構を介して手動ハンドルに連結される。ハンドルは、通常は、スプール駆動軸から径方向外方に延びる腕部と、腕部の外端部に取付けられた把手部とから構成されており、手指の力によるスプールの回転駆動を容易にすべく、全体的にクランク型アームの形態に設計される。他方、電動式リールは、スプールを回転駆動する電動モータを備えるとともに、電動モータの電源として電源バッテリーを備えており、スプールの回転力として電動モータの動力を利用する構成のものである。いずれの形式のリールにおいても、大物の魚を釣り上げる際に釣り糸の切断を防止すべく、ドラグ機構等が所望により設けられ、また、スプールの逆転を阻止するストッパーや、ブレーキシューを含むブレーキ機構等がケーシングに配設される。
【０００４】
これら各方式には、各々特有の利点があることが知られており、例えば、手動式及び電動式の各構成要素を併設し、各方式を任意に切換可能に構成した釣り具なども知られている（特開平１１−１６９０３５　号公報）　。また、高度な電子機器を内蔵した電子制御式のリールや、丸洗い可能な電動リール等、多種多様な工夫を凝らした比較的高価なリールが、近年、市場に流通している。
【０００５】
【発明が解決しようとする課題】
しかしながら、従来の手動式リールは、一般にスプールの半径が小さく、急速な巻上げ操作には適していない。リールのギア比を変更してスプール／ハンドルの回転比を増大し、巻上げ速度を増大することも可能であるが、回転駆動に要する力も同時に増大するので、これには限界がある。電動式リールの採用により、このような問題を解消し得るかもしれないが、電動式リールは、電動モータ及び電源バッテリーを要し、比較的高価であり、しかも、電源バッテリー等の維持管理を要する。
【０００６】
また、手動式及び電動式リールは、ギア部、ブレーキシュー、ベアリング等を含む比較的複雑且つ精密な機構を有するので、リール構成部品を分解し難く、汚れや、塩分等の清掃、更には、潤滑油の補給・交換を容易に実施し難い。清掃を容易にする丸洗い可能なリールも開発されてはいるが、リール機構内部に進入した塩分を丸洗いにより完全に洗浄することは困難であり、また、内部機構の潤滑油補給・交換等を行ったり、内部機構のメンテナンス等を行う必要もあるので、やはりリール構成部品を分解せざるを得ない。従って、リール構成部品の分解困難性は、丸洗い可能なリールにおいても、同様に問題視される。
【０００７】
ここに、微妙な釣り感覚が重視される誘い釣り等では、誘い方次第で効果が左右されるが、従来のリールでは、ギア部等を介して釣り糸の引張力が手指に間接的に伝達するにすぎないので、魚の微妙な動きを釣り人が直感的に意識し難く、しかも、正逆切替の操作も面倒であることから、実用的には問題がある。また、このように微妙な釣り感覚を重視した場合、手動式リールが基本的には優れているが、前述の如く、従来の手動式リールには、巻上げ速度の低下、分解・清掃の困難性、更には、精密且つ複雑な機構による価格の高額化等の課題がある。
【０００８】
本発明は、このような課題に鑑みてなされたものであり、その目的とするところは、釣り人が魚の微妙な動きを直感的に意識するように構成されるとともに、巻上げ速度を向上し、分解・清掃の作業を簡素化し、更には、価格を低廉化し得る簡素な構造の手動式リールを備えた釣り具を提供することにある。
【０００９】
【課題を解決するための手段】
本発明は、上記目的を達成すべく、手指で回転操作可能な手動式リールを備えた釣り具において、
前記リールを回転可能に支持し且つ釣り竿の基端部を支持する釣り具本体と、前記リールの空転を防止する空転防止器と、前記リールの回転を制動する制動装置とを有し、
前記リールは、左右一対の側壁部と、釣り糸を巻回可能な周溝を前記側壁部の間に形成する枠部と、前記側壁部の外周部分に取付けられた把手とを備え、前記側壁部及び枠部は、前記釣り具本体の側面に取付けられた支軸に回転可能且つ着脱可能に支承され、
前記空転防止器は、前記周溝に延入可能に前記釣り具本体に支持された枢動可能な釣り糸当接部材と、前記リール上の釣り糸に当接するように前記当接部材を付勢する当接部材付勢手段とを備え、
前記制動装置は、前記周溝に延入可能に前記釣り具本体に支持された枢動可能な制動部材と、前記リール上の釣り糸から離間するように前記制動部材を付勢する制動部材付勢手段と、手指の力で前記制動部材を前記リール上の釣り糸に強制的に押圧せしめる揺動レバーとを備えることを特徴とする釣り具を提供する。
【００１０】
【作用】
本発明の上記構成によれば、リールの側壁部に直に把手が取付けられているので、釣り糸の引張力は、釣り人の手指に直に伝達する。このため、釣り人は、魚の動きを手指に伝わる直接的な感覚で体感することができる。
【００１１】
リールは、釣り具本体の側面に配置されているので、リール直径を増大することができ、また、把手は、側壁部の外周領域に配置されており、把手の回転半径は、比較的大きい。従って、釣り糸の巻上げ速度を増大することができる。
【００１２】
リールは、複雑なギア機構等を備えておらず、安価に製造でき、しかも、支軸から簡単に取外すことができるので、リールの洗浄や、潤滑油補給・交換等を容易に実施することができる。加えて、本発明の釣り具は、ギア機構等の機械的動力伝達機構を備えていないので、その重量は、現在市販されている釣り具に比べ、半減ないし１／３以下に低減する。これは、一日中釣りを行う際に生じる釣り人の疲労を大きく軽減するばかりでなく、釣り具の携帯時又は搬送時の労力を大きく軽減するので、実用的に極めて有利である。
【００１３】
【発明の実施の形態】
本発明の好適な実施形態において、上記釣り具本体は、リールを収容可能な凹部を側面に備えた中央部と、釣り竿の基端部を取付け可能なロッド取付部を備えた前部と、手指で握持可能な後部とを有する。
【００１４】
本発明の更に好適な実施形態によれば、上記把手は、リールの中心に対して直径方向に対向する位置に対称に配置され、上記空転防止器は、リールの後側に配置され、上記制動装置は、リールの前側に配置され、上記揺動レバーは、釣り具本体の前部の下側に配置される。好ましくは、制動部材は、前部及び揺動レバーを片手で一緒に把持することよりリール上の釣り糸に押圧する。更に好ましくは、リールは、側壁部及び枠部を回転可能に支持するベアリングを備えた中心軸を有し、中心軸は、釣り具本体の中央部に着脱可能に支持される。
【００１５】
好適には、制動装置は、釣り具本体に枢動可能に支持された枢動部材を有し、制動部材は、枢動部材の上部に一体的に取付けられ、揺動レバーは、枢動部材の下部に一体的に取付けられる。更に好ましくは、空転防止器は、釣り具本体に枢動可能に支持された枢動部材を有し、釣り糸当接部材は、枢動部材に一体的に取付けられる。
【００１６】
【実施例】
以下、添付図面を参照して、本発明の好適な実施例について詳細に説明する。
図１は、本発明の好適な実施例に係る釣り具の側面図であり、図２、図３及び図４は、リールを釣り具本体から分離した状態で示す分解平面図、正面図及び背面図である。また、図５は、リールの側面図である。
【００１７】
図１に示す如く、釣り具１は、木質系素材又は天然木素材を成形した釣り具本体２、本体２の中央部に回転可能に取付けられたリール３、リール３の前側に配置された制動装置４、更には、リール３の後側に配置された空転防止器５から全体的に構成される。釣り竿Ｒの基端部を嵌入可能なロッド取付部２１が、本体２の前端部に形成され、手指で握持可能な握持部２２が、本体２の後部に形成される。釣り竿Ｒの中心軸線は、本体２の中心軸線と一致する。
【００１８】
本体２の前部２３は、円形断面を有し、その先端部は、紡錘状に縮径してロッド取付部２１に連続する。縮径部には、補強用線材２４が巻回される。握持部２２の後端部には、釣り竿落下防止用の紐又はチェーン等を挿通可能な通し孔２５が穿設される。本体２の中央部には、リール３を収容可能な凹部２０が形成される。凹部２０の中央部には、全螺子形の支軸２６を挿通可能な貫通孔２３が穿設される。図２に示す如く、貫通孔２３の両側には、ワッシャ２７が配置され、蝶螺子２８ａが、支軸２６の一端部に螺着する。支軸２６は、リール３の中心貫通孔３０を貫通し、蝶螺子２８ｂが、支軸２６の他端部に螺着する。
【００１９】
円形の全体輪郭を有するリール３は、貫通孔３０を有し且つベアリングを内蔵した中心軸３１と、中心軸３１から径方向外方に延びる左右一対の円形側壁部３２と、リール３の外周領域に配置された一対の把手３３と、左右の側壁部３２を繋ぐ枠部３４とから構成される。図５に示す如く、側壁部３２及び枠部３４は、ステンレス鋼線等の金属線形部材をリール形態に加工した軽量且つ中空の構造を有し、中心軸３１によって支軸２６に回転可能に支持される。側壁部３２の放射状線形部材３２ａは、所定の角度間隔（本例では４５度）を隔てて配置され、円形の線形部材３２ｂ、３２ｃによって補強される。釣り糸は、左右の側壁部３２の間に形成された周溝３９（図２）に巻回され、枠部３４によって支持される。把手３３は、側壁に固定された固定軸３３ａと、固定軸３３ａに遊動回転可能に支持された木製の握り部材３３ｂとから構成される。
【００２０】
図１及び図２に示すように、制動装置４及び空転防止器５は、リール３に巻回した釣り糸と係合するように、リール３の前後に配置される。制動装置４は、リール３の回転を制動し、釣り糸の送り込みを手動制御するためのものであり、空転防止器５は、リール３の空転を防止するとともに、リールに巻回した釣り糸を整糸する機能を有する。
【００２１】
制動装置４は、固定軸４０によって本体２の側面に支承された枢動部材４１を有する。揺動レバー４２が、枢動部材４１の下端部に固定され、前部２３の下面に沿って前方に延びる。リール３の周溝３９に挿入可能な舌状部材４３が、枢動部材４１の上端部から上方に延びる。舌状部材４３は、枢動部材４１に固定された芯材４３ａと、芯材４３ａの先端半部を被覆する釣り糸当接部４３ｂとから構成され、釣り糸側に膨出するように全体的に湾曲する。枢動部材４１は、本体２の切欠き部２０ａ内に収容される。引張りコイルスプリング４５が、枢動部材４１を切欠き部２０ａ内に引き込むように本体２及び枢動部材４１を連結し、枢動部材４１は、スプリング４５によって時計廻り方向に付勢される。目孔４６を先端部に備えた釣り糸案内部材４７が、枢動部材４１から下方に延びる。リール３から繰り出された釣り糸は、目孔４６に挿通され、前方に延びる。
【００２２】
好ましくは、枢動部材４１及び揺動レバー４２は、本体２と同様な木質形素材より成形され、芯材４３ａ及び釣り糸案内部材４７は、ステンレス鋼線等の金属線形部材より加工される。釣り糸当接部４３ｂは、好ましくは、牛革等の天然皮革からなる。
【００２３】
空転防止器５は、制動装置４と対向するようにリール３の後側に配置され、蝶番５０、枢動部材５１、突出部５２、舌状部材５３及び引張りコイルスプリング５５から構成される。枢動部材５１は、本体２の切欠き部２０ｂ内に収容され、蝶番５０によって枢動可能に本体２に支持される。スプリング５５は、枢動部材５１を切欠き部２０ｂ内に引き込む方向、即ち、時計廻り方向に枢動部材５１を付勢する。舌状部材５３は、リール３の周溝３９内に延入し、リール３上の釣り糸に当接する。舌状部材５３は、枢動部材５１の回動により、上方退避位置（仮想線で示す）に移動し得る。所望により、空転防止器５は、舌状部材５３を上方退避位置に係止可能な係止機構を備える。突出部５２は、スプリング５５の引張応力に抗して枢動部材５１を反時計廻り方向に手指で強制回転させる際に使用される。
【００２４】
好ましくは、枢動部材５１及び突出部５２は、本体２と同様な木質形素材より成形され、舌状部材５３は、牛革等の天然皮革からなる。
本例において、釣り具１の各部寸法は、例えば、次のとおり設定される。
【００２５】
本体２の全長：５０ｃｍ
線形部材３２、３４の直径：２ｍｍ
リール３の直径（外径）及び幅：１６ｃｍ、２．８ｃｍ
把手３３の直径及び高さ：３．７ｃｍ、２．７ｃｍ
支軸２６の全長：７．５ｃｍ
釣り具１の重量は、約１００ｇ　〜１５０ｇであり、釣り具は、鯛釣り等に利用可能な従来の釣り具（５００ｇ　〜１０００ｇ）に比べ、かなり軽量である。これは、釣り人の疲労感を軽減するとともに、搬送・携帯時の労力を大きく軽減するので、実用的に非常に有利である。
【００２６】
次に、上記構成の釣り具１の使用形態及び作動について説明する。
図６は、釣り具１の使用状態を示す側面図である。
使用において、釣り人は、釣り竿Ｒを釣り具１のロッド取付部２１に嵌合し、釣り竿Ｒを釣り具１に一体的に取付けるとともに、リール３の周溝３９（図２）に釣り糸を巻回する。釣り糸は、目孔４６を通過し、釣り竿Ｒに沿って前方に延びる。空転防止器５の枢動部材５１は、スプリング５５の引張力により時計廻り方向に付勢されており、舌状部材５３は常に周溝３９内に延入し、リール３に巻回した釣り糸に弾力的に当接する。片手で握持部２２を握持し、他方の手で把手３３を掴み、リール３を時計廻り方向又は反時計廻り方向に回転させることにより、釣り糸をリール３に巻取り、或いは、リール３から繰出すことができる。把手３３は、リール３の外周部に配置されているので、巻上げ時の操作力は軽減する。従って、釣り糸は、釣り人の手の力で迅速且つ容易に巻上げることができる。また、釣り糸に作用する魚の引張り力は、リール３及び把手３３を介して釣り人の手指に実質的に直に伝わる。
【００２７】
釣り糸の巻取り又は繰出しに相応して枠部３４上の釣り糸の位置や巻回厚が変化するが、釣り糸表面の位置に相応して枢動部材５１が枢動するので、舌状部材５３は、常に適正範囲の押圧力でリール３の釣り糸に当接する。従って、舌状部材５３の圧力が常にリール３に作用するので、リール３の空転は、防止することができ、また、釣り糸は、舌状部材５３の整糸作用の下でリール３に巻取られるので、リール３に対する釣り糸の絡み等の問題は、回避し得る。なお、釣り人は、釣り糸を自由に流す（繰出す）際には、空転防止器５の突出部５２を掴んで舌状部材５３を上方退避位置（仮想線で示す）に退避させれば良い。
【００２８】
制動装置４は、揺動レバー４２の位置に相応してリール３の回転抵抗を制御する。枢動部材４１及び舌状部材４３には、スプリング４５の引張力が常時作用しており、揺動レバー４２の解放時には、仮想線で示す退避位置に位置する。釣り人は、片手の手指で揺動レバー４２を操作し、実線で示す制動位置に揺動レバー４２を回動することにより、リール３の回転抵抗を調整することができる。例えば、釣り糸の繰出し時に揺動レバー４２を手指で実線位置に変位させることにより、枢動部材４１及び舌状部材４３は、反時計廻り方向に回動する。舌状部材４３は、リール３上の釣り糸を押圧し、リール３に回転負荷が与えられる。釣り糸に作用する魚の引張り力は、リール３及び揺動レバー４２を介して釣り人の手指に伝わるので、釣り人は、手指の感覚に応じて揺動レバー４２を操作することにより、釣り糸の繰出し抵抗を感覚的に調整する。これは、ギア等の機械的機構の存在により釣り人の手指に釣り糸感覚が直に伝達しない従来の制動機構と対比すると、繊細な釣り糸感覚を重視する釣り人にとっては、非常に有益である。
【００２９】
かくして、釣り人は、このような制動装置４の操作と、前述した巻上げ用の把手３３の操作とを同時に行うことにより、釣り糸の巻上げ及び送込み（繰出し）を手釣り感覚で調整することができる。かかる構成の釣り具１をキス、カワハギ、カサゴ等の根魚釣りに使用し得ることはいうまでもなく、鯛釣り等の誘い釣りを必要とする場合、漁師の手釣り感覚でリール３の巻上げ及び送込みを行いながら効果的な誘い釣りを行うことを可能にする。
【００３０】
次に、釣り具１の分解・清掃に関し、説明する。
釣り具１は、次の操作により、容易に分解することができる。
（１）　蝶螺子２８ａ、２８ｂを緩めて、リール３を取外す。
（２）　空転防止器５を上方退避位置に解放する。
（３）　舌状部材４３を若干持ち上げながら、リール３を本体２から取外す。
【００３１】
塩分や汚れ等が付着したリール３は、このような操作により簡単に本体２から分離し、丸洗いすることができ、リール３に付着した塩分や、汚れ等を容易且つ完全に清掃することができる。なお、本体２の各部は、水洗いしても良く、拭き取り等により清掃しても良い。
【００３２】
以上、本発明の好適な実施例について詳細に説明したが、本発明は、上記実施例に限定されるものではなく、特許請求の範囲に記載された本発明の範囲内において種々の変更又は変形が可能であり、かかる変更又は変形例も又、本発明の範囲内に含まれるものであることはいうまでもない。
【００３３】
例えば、舌状部材４３、５３の釣り糸接触面の素材は、天然皮革に限定されるものではなく、適切な物性を有する合成皮革、合成樹脂、エラストマー、合成ゴム等を用いても良い。また、本体２やリール３の素材として、合成樹脂等を用いても良い。
【００３４】
【発明の効果】
以上説明したとおり、本発明の上記構成によれば、本発明の釣り具は、釣り人が魚の微妙な動きを直感的に意識するように構成されるとともに、巻上げ速度を向上し、分解・清掃の作業を簡素化し、更には、価格を低廉化し得る簡素な構造の手動式リールを備える。
【図面の簡単な説明】
【図１】本発明の好適な実施例に係る釣り具の側面図である。
【図２】図１に示す釣り具本体からリールを分離した状態で示す分解平面図である。
【図３】釣り具本体からリールを分離した状態で示す分解正面図である。
【図４】釣り具本体からリールを分離した状態で示す分解背面図である。
【図５】図１及び図２に示すリールの側面図である。
【図６】釣り具の使用状態を示す側面図である。
【符号の説明】
１：釣り具
２：釣り具本体
３：リール
４：制動装置
５：空転防止器
【図１】
2004024188.tif 000003
【図２】
2004024188.tif 000004
【図３】
2004024188.tif 000005
【図４】
2004024188.tif 000006
【図５】
2004024188.tif 000007
【図６】
2004024188.tif 000008